(57)【要約】      （修正有）【課題】厚みを抑えて、かつ繰り返し折り曲げて使用しても耐久性のある３つ折りカードを提供する。【解決手段】３つ折りカード１は、３枚のカード１ａ、１ｂ、１ｃが隣接し並んだ状態で展開可能な形状を有しており、３枚のカード１ａ、１ｂ、１ｃの中央に位置するカード１ｂと両端のカード１ａ、１ｃとの接線もしくは境界線２を備え、３枚のカード１ａ、１ｂ、１ｃは並んだ状態でプラスチックフィルム台紙４に接着されている。３つ折りカード１は、展開された状態から折り畳むことで３つ折り状態へと変化し、折り畳みの際には、接線もしくは境界線２を山側にして折り重ねられる。カード１ａ、１ｂ、１ｃには適宜必要に応じて片面もしくは両面に図柄５あるいは文字６の印刷が施される。【選択図】図１
2015066949.tif 000002
【特許請求の範囲】
【請求項１】
３枚分のカードが隣接し並んだ状態で１組のカード群を形成し、前記カード群が切り出せる大きさのカード用紙を準備し、天地に切断されない部分を残して前記カード群の中央に位置するカードと両端に位置するカードとの接線もしくは境界線において前記カード用紙を切断する工程と、
前記カード群における外側輪郭線より大きいプラスチックフィルム台紙に前記カード用紙を貼り付ける工程と、
前記カード群における外側輪郭線において前記カード用紙と前記プラスチックフィルム台紙とを切り出して前記カード群が展開された状態の３つ折りカードを得る工程と、
前記３つ折りカードに属する中央のカードと両端のカードとの接線もしくは境界線を折り線として山側に前記３つ折りカードを折り重ねる工程と、を備えた３つ折りカードの製造方法。
【請求項２】
前記カード用紙には片面もしくは両面に図柄もしくは文字の印刷が施された、請求項１に記載の３つ折りカードの製造方法。
【請求項３】
前記プラスチックフィルム台紙を透明にした、請求項１もしくは２に記載の３つ折りカードの製造方法。
【請求項４】
前記カード用紙の片面もしくは両面にホログラム用のフィルムを貼り付ける工程を更に備えた、請求項１から３のいずれかに記載の３つ折りカードの製造方法。
【請求項５】
前記ホログラム用のフィルムに図柄もしくは文字の印刷を施す工程を更に備えた、請求項４に記載の３つ折りカードの製造方法。
【請求項６】
３枚分のカードが隣接し並んだ状態で１組のカード群を形成し、前記カード群が展開可能な形状を有し、前記カード群の中央に位置するカードと両端のカードとの接線もしくは境界線において切断され、
前記カード群はプラスチックフィルム台紙に接着され、
前記接線もしくは境界線を折り線として山側に折り重ねられた、３つ折りカード。
【請求項７】
前記カードには片面もしくは両面に図柄もしくは文字の印刷が施された、請求項６に記載の３つ折りカード。
【請求項８】
前記プラスチックフィルム台紙が透明である、請求項６もしくは７に記載の３つ折りカード。
【請求項９】
前記カードの片面もしくは両面にホログラム用のフィルムが貼り付けられた、請求項６から８のいずれかに記載の３つ折りカード。
【請求項１０】
前記ホログラム用のフィルムに図柄もしくは文字の印刷が施された、請求項９に記載の３つ折りカード。
【請求項１１】
３枚分のカードが隣接し並んだ状態で１組のカード群を形成し、前記カード群が複数並んだ状態で切り出せる大きさのカード用紙を準備し、天地に切断されない部分を残して前記カード群の中央に位置するカードと両端に位置するカードとの全ての接線もしくは境界線において前記カード用紙を切断する工程と、
前記カード群が複数並んだ状態で、前記カード群全てを包含する大きさのプラスチックフィルム台紙を前記カード用紙に貼り付ける工程と、
前記カード群における外側輪郭線において前記カード用紙と前記プラスチックフィルム台紙とをカード群毎に切り出して、前記カード群が展開された状態の３つ折りカードを複数得る工程と、
前記３つ折りカードに属する中央のカードと両端のカードとの接線もしくは境界線を折り線として山側に前記３つ折りカードを折り重ねる工程と、を備えた３つ折りカードの製造方法。
【請求項１２】
前記カード群の中央に位置するカードと両端に位置するカードとの全ての接線もしくは境界線において前記カード用紙を切断する際、その切断を同時に行う工程を更に備えた、請求項１１に記載の３つ折りカードの製造方法。
【請求項１３】
前記カード用紙には片面もしくは両面に図柄もしくは文字の印刷が施された、請求項１１もしくは１２に記載の３つ折りカードの製造方法。
【請求項１４】
前記プラスチックフィルム台紙を透明にした、請求項１１から１３のいずれかに記載の３つ折りカードの製造方法。
【請求項１５】
前記カード用紙の片面もしくは両面にホログラム用のフィルムを貼り付ける工程を更に備えた、請求項１１から１４のいずれかに記載の３つ折りカードの製造方法。
【請求項１６】
前記ホログラム用のフィルムに図柄もしくは文字の印刷を施す工程を更に備えた、請求項１５に記載の３つ折りカードの製造方法。
【請求項１７】
請求項１から５のいずれかに記載の３つ折りカードの製造方法によって製造された、３つ折りカード。
【請求項１８】
請求項１１から１６のいずれかに記載の３つ折りカードの製造方法によって製造された、３つ折りカード。
【発明の詳細な説明】
【技術分野】
【０００１】  本発明は、耐久機能を備えた３つ折りカードとその製造方法に関する。
【背景技術】
【０００２】  ３つ折りカードは、一般には健康保険証等において採用されている（例えば実用新案登録第３１４１１９１号図１参照）。
【先行技術文献】
【０００３】
【実用新案登録文献１】
実用新案登録第３１４１１９１号
【発明の概要】
【発明が解決しようとする課題】
【０００４】  従来の３つ折りカードでは、３つ折りにするために折り目にミシン線等を形成するか、あるいは厚手の紙を用いて折り目に山線を形成するため切欠きを設けるのが一般的であった。
しかし、このようなカードは折り目の部分が他の部分より弱いので、繰り返し使用すると折り目の部分から破断が生じる問題があり、また一方で丈夫にすると厚みが増して扱いにくいものとなる欠点がある。【０００５】  本発明は上記背景の下でなされたものであり、その目的は厚みを抑えて、かつ繰り返し折り曲げて使用しても耐久性のある３つ折りカードとその製造方法を提供することにある。
【課題を解決するための手段】
【０００６】  前記従来の課題を解決するために、本発明の３つ折りカードの製造方法は、３枚分のカードが隣接し並んだ状態で１組のカード群を形成し、前記カード群が切り出せる大きさのカード用紙を準備し、天地に切断されない部分を残して前記カード群の中央に位置するカードと両端に位置するカードとの接線もしくは境界線において前記カード用紙を切断する工程と、
前記カード群における外側輪郭線より大きいプラスチックフィルム台紙に前記カード用紙を貼り付ける工程と、
前記カード群における外側輪郭線において前記カード用紙と前記プラスチックフィルム台紙とを切り出して前記カード群が展開された状態の３つ折りカードを得る工程と、
前記３つ折りカードに属する中央のカードと両端のカードとの接線もしくは境界線を折り線として山側に前記３つ折りカードを折り重ねる工程と、を有する。【０００７】  また、前記従来の課題を解決するために、本発明の３つ折りカードは、３枚分のカードが隣接し並んだ状態で１組のカード群を形成し、前記カード群が展開可能な形状を有し、前記カード群の中央に位置するカードと両端のカードとの接線もしくは境界線において切断され、前記カード群はプラスチックフィルム台紙に接着され、
前記接線もしくは境界線を折り線として山側に折り重ねられた、構成を備える。【０００８】  また、前記従来の課題を解決するために、本発明の３つ折りカードの製造方法は、３枚分のカードが隣接し並んだ状態で１組のカード群を形成し、前記カード群が複数並んだ状態で切り出せる大きさのカード用紙を準備し、天地に切断されない部分を残して前記カード群の中央に位置するカードと両端に位置するカードとの全ての接線もしくは境界線において前記カード用紙を切断する工程と、
前記カード群が複数並んだ状態で、前記カード群全てを包含する大きさのプラスチックフィルム台紙を前記カード用紙に貼り付ける工程と、
前記カード群における外側輪郭線において前記カード用紙と前記プラスチックフィルム台紙とをカード群毎に切り出して、前記カード群が展開された状態の３つ折りカードを複数得る工程と、
前記３つ折りカードに属する中央のカードと両端のカードとの接線もしくは境界線を折り線として山側に前記３つ折りカードを折り重ねる工程と、を有する。
【発明の効果】
【０００９】  本発明の３つ折りカードとその製造方法によれば、厚みを抑えて、かつ繰り返し折り曲げて使用しても耐久性のある３つ折りカードが得られる。
【図面の簡単な説明】
【００１０】
【図１】（ａ）本発明の実施の形態１における３つ折りカードとその製造方法の各工程を説明するためのカード用紙とプラスチックフィルム台紙、ホログラム用のフィルムの平面図、（ｂ）本発明の実施の形態１および実施の形態２における３つ折りカードの展開した状態の側面図。
【図２】（ａ）本発明の実施の形態１および実施の形態２における３つ折りカードの折り畳まれる状態を示す斜視図、（ｂ）同カードの折り目部分要部を拡大した側面図。
【図３】本発明の実施の形態２における３つ折りカードとその製造方法の各工程を説明するためのカード用紙とプラスチックフィルム台紙、ホログラム用のフィルムの平面図。
【図４】従来の３つ折りカードの折り目の要部拡大側面図。
【発明を実施するための形態】
【００１１】  以下に、本発明の３つ折りカードとその製造方法の実施の形態１を詳細に説明する。図１（ａ）は、本発明の実施の形態１における３つ折りカードとその製造方法の各工程を説明するためのカード用紙とプラスチックフィルム台紙、ホログラム用のフィルムの平面図、図１（ｂ）は、同３つ折りカードの展開した状態の側面図を示す。図２（ａ）は、同３つ折りカードの折り畳まれる状態の斜視図、図２（ｂ）は、同カードの折り目部分要部を拡大した側面図である。
【００１２】  本実施の形態１の３つ折りカードは、３枚のカード１ａ、１ｂ、１ｃが隣接し並んだ状態で展開可能な形状を有しており、３枚のカード１ａ、１ｂ、１ｃの中央に位置するカード１ｂと両端のカード１ａ、１ｃとの接線もしくは境界線２を備えた構成となっている。３枚のカード１ａ、１ｂ、１ｃは並んだ状態でホログラム用のフィルム３を挟んでプラスチックフィルム台紙４に接着されている。プラスチックフィルム台紙４はポリプロピレン等の公知の透明、もしくは透明で薄く着色したものが使われる。なお、ホログラム用のフィルム３はカード１ａ、１ｂ、１ｃの表面に反射光の変化をつける目的で設けられているが、省略してもよい。３つ折りカード１は、展開された状態（図１（ｂ））から折り畳むことで３つ折り状態へと変化する（図２（ａ）に示す）。折り畳みの際には、接線もしくは境界線２を山側にして折り重ねられる（図２（ｂ）に拡大した状態を示す）。図２（ａ）のようにカード１ａを折り畳む際に、カード１ｃの厚みの影響を極力受けずに、カード１ａと１ｂの左右の辺が揃うようにするためには、適宜、３枚のカード１ａ、１ｂ、１ｃの幅ｗの長さを調整すればよい。例えば、カード１ｃの幅ｗの長さをカード１ａ、１ｂの幅ｗの長さより短くすると良い。また、プラスチックフィルム台紙４に伸縮性があると、折り畳みやすくなる。カード１ａ、１ｂ、１ｃには適宜必要に応じて片面もしくは両面に図柄５あるいは文字６の印刷が施される。
【００１３】  次に、本実施の形態１の３つ折りカードの製造方法について説明する。まず３枚分のカード１ａ、１ｂ、１ｃが隣接し並んだ状態で１組のカード群１０を形成し、カード群１０が切り出せる大きさのカード用紙７を準備し、天地８に切断されない部分を残してカード群１０の中央に位置するカード１ｂと両端のカード１ａ、１ｃとの接線もしくは境界線２においてカード用紙７を切断する。次に、カード群１０における外側輪郭線９より大きいプラスチックフィルム台紙４にカード用紙７を貼り付ける。なお、プラスチックフィルム台紙４にカード用紙７を貼り付ける工程の前に、カード用紙７の片面もしくは両面にホログラム用のフィルム３を貼り付ける工程を更に設けてもよい。ホログラム用のフィルム３には更に図柄もしくは文字の印刷を施したものを使用してもよい。
【００１４】  次に、カード群１０における外側輪郭線９の線にそってカード用紙７とプラスチックフィルム台紙４（ホログラム用のフィルム３が介在するときはホログラム用のフィルム３も共に）を切り出してカード群１０が展開された状態の３つ折りカード１を得る。３つ折りカード１は、接線もしくは境界線２の切断部分で分離されているが、それぞれプラスチックフィルム台紙４に貼り付けられているので、一体となっている。この後、３つ折りカード１に属する中央のカード１ｂと両端のカード１ａ、１ｃとを接線もしくは境界線２を折り線として山側に折り畳む。図２（ａ）のようにカード１ａを折り畳む際に、カード１ｃの厚みの影響を極力受けずに、カード１ａと１ｂの左右の辺が揃うようにするためには、適宜、３枚のカード１ａ、１ｂ、１ｃの幅ｗの長さを調整すればよい。例えば、カード１ｃの幅ｗの長さをカード１ａ、１ｂの幅ｗの長さより短くすると良い。また、プラスチックフィルム台紙４に伸縮性があると、折り畳みやすくなる。このようにして、３つ折りカード１が得られる。
【００１５】  以下に、本発明の３つ折りカードとその製造方法の実施の形態２を詳細に説明する。図３は、本発明の実施の形態２における３つ折りカードとその製造方法の各工程を説明するためのカード用紙とプラスチックフィルム台紙、ホログラム用のフィルムの平面図を示す。図１（ｂ）は、同３つ折りカードの展開した状態の側面図を示す。図２（ａ）は、同３つ折りカードの折り畳まれる状態の斜視図、図２（ｂ）は、同カードの折り目部分要部を拡大した側面図である。
【００１６】  本実施の形態２の３つ折りカードは、３枚のカード１ａ、１ｂ、１ｃが隣接し並んだ状態で展開可能な形状を有しており、３枚のカード１ａ、１ｂ、１ｃの中央に位置するカード１ｂと両端のカード１ａ、１ｃとの接線もしくは境界線２を備えた構成となっている。３枚のカード１ａ、１ｂ、１ｃは並んだ状態でホログラム用のフィルム３を挟んでプラスチックフィルム台紙４に接着されている。プラスチックフィルム台紙４はポリプロピレン等の公知の透明、もしくは透明で薄く着色したものが使われる。なお、ホログラム用のフィルム３はカード１ａ、１ｂ、１ｃの表面に反射光の変化をつける目的で設けられているが、省略してもよい。３つ折りカード１は、展開された状態（図１（ｂ））から折り畳むことで３つ折り状態へと変化する（図２（ａ）に示す）。折り畳みの際には、接線もしくは境界線２を山側にして折り重ねられる（図２（ｂ）に拡大した状態を示す）。図２（ａ）のようにカード１ａを折り畳む際に、カード１ｃの厚みの影響を極力受けずに、カード１ａと１ｂの左右の辺が揃うようにするためには、適宜、３枚のカード１ａ、１ｂ、１ｃの幅ｗの長さを調整すればよい。例えば、カード１ｃの幅ｗの長さをカード１ａ、１ｂの幅ｗの長さより短くすると良い。また、プラスチックフィルム台紙４に伸縮性があると、折り畳みやすくなる。カード１ａ、１ｂ、１ｃには適宜必要に応じて片面もしくは両面に図柄５あるいは文字６の印刷が施される。
【００１７】  次に、本実施の形態２の３つ折りカードの製造方法について説明する。まず３枚分のカード１ａ、１ｂ、１ｃが隣接し並んだ状態で１組のカード群を形成し、前記カード群が複数並んだ状態で切り出せる大きさのカード用紙７を準備し、天地８に切断されない部分を残して前記カード群の中央に位置するカード１ｂと両端のカード１ａ、１ｃとの全ての接線もしくは境界線２においてカード用紙７を切断する。次に、カード群１０が複数並んだ状態で、カード群１０全てを包含する大きさのプラスチックフィルム台紙４をカード用紙７に貼り付ける。
これにより、複数の３つ折りカードの量産性が向上する。
なお、全ての接線もしくは境界線２においてカード用紙７を切断する際、その切断を同時に行ってもよい。プラスチックフィルム台紙４をカード用紙７に貼り付ける工程の前に、カード用紙７の片面もしくは両面にホログラム用のフィルム３を貼り付ける工程を更に設けてもよい。ホログラム用のフィルム３には更に図柄もしくは文字の印刷を施したものを使用してもよい。
【００１８】  次に、カード群１０における外側輪郭線９においてカード用紙７とプラスチックフィルム台紙４（ホログラム用のフィルム３が介在するときはホログラム用のフィルム３も共に）をカード群毎に切り出してカード群１０が展開された状態の３つ折りカード１を複数得る。３つ折りカード１は、接線もしくは境界線２の切断部分で分離されているが、それぞれプラスチックフィルム台紙４に貼り付けられているので、一体となっている。この後、中央のカード１ｂと両端のカード１ａ、１ｃとを接線もしくは境界線２を折り線として山側に折り畳む。図２（ａ）のようにカード１ａを折り畳む際に、カード１ｃの厚みの影響を極力受けずに、カード１ａと１ｂの左右の辺が揃うようにするためには、適宜、３枚のカード１ａ、１ｂ、１ｃの幅ｗの長さを調整すればよい。例えば、カード１ｃの幅ｗの長さをカード１ａ、１ｂの幅ｗの長さより短くすると良い。また、プラスチックフィルム台紙４に伸縮性があると、折り畳みやすくなる。このようにして、３つ折りカード１が複数得られる。
【００１９】  以上のようにして得た３つ折りカード１は、接線もしくは境界線２の部分で折り畳むことができ、同時に３つ折りカード１はそれぞれプラスチックフィルム台紙４に貼り付けられているので、分離することがなく、屈曲が可能となっている。また、折り線に沿ったミシン目や切欠き部も不要なので、屈曲を繰り返しても比較的強度に優れている。
【００２０】  以上、本発明の実施の形態を説明したが、上述の実施の形態は、本発明の範囲内で当業者により変形可能なことはもちろんである。
【符号の説明】
【００２１】１  ３つ折りカード
１ａ，１ｂ，１ｃ  カード
２  接線または境界線
３  ホログラム用のフィルム
４  プラスチックフィルム台紙
１０  カード群
【図１】
2015066949.tif 000003
【図２】
2015066949.tif 000004
【図３】
2015066949.tif 000005
【図４】
2015066949.tif 000006